(57)【要約】【課題】発光素子の側面からの出射される光の黄色味が強い場合であっても、それによる色ムラを低減することができる面光源装置および表示装置を提供すること。【解決手段】面光源装置は、筐体、発光装置、光吸収部、および光拡散板を有する。発光装置は、発光素子および光束制御部材を有する。光束制御部材は、入射面、２つの反射面、および２つの出射面を有する。光吸収部は、２つの出射面が対向する方向に略垂直かつ発光素子の光軸に略垂直な方向において、少なくともＨ／ｔａｎ（１８０−θ２）≦Ｌ≦Ｈ／ｔａｎ（１８０−θ１）（θ１：１２０°以上、θ２：１５０°以下）を満たす第１領域の全部に配置され、Ｒ４５０、Ｒ５５０およびＲ６００は、それぞれ５０％以下であり、かつ０．５≦ｒ１＜１、０．５≦ｒ２＜１、および０．８５≦ｒ３≦１．１５を満たす。【選択図】図５
2020135965.tif 000002
【特許請求の範囲】
【請求項１】
底板と、前記底板と対向して配置された開口部とを有する筐体と、
前記底板上に配置され、少なくとも上面および側面の上端部から光を出射する発光素子と、前記発光素子から出射された光の配光を制御する光束制御部材とを有する発光装置と、
前記底板上の、前記光束制御部材の下に配置された光吸収部と、
前記開口部を塞ぐように配置され、光を拡散させつつ透過させる光拡散板と、
を有し、
前記光束制御部材は、
前記発光素子から出射された光を入射する入射面と、
前記入射面を挟んで前記発光素子と対向する位置に配置され、前記入射面から入射した光の一部を、前記発光素子の光軸と略垂直であり、かつ互いに反対向きである２つの方向にそれぞれ反射させる２つの反射面と、
前記２つの反射面を挟んで互いに対向して配置され、前記２つの反射面で反射された光をそれぞれ外部に出射させる２つの出射面と、
を有し、
前記光吸収部は、前記発光素子の側面の上端部の前記底板の表面からの高さをＨ、平面視したときの前記発光素子の側面の下端部からの距離をＬ、前記発光素子の側面の上端部から出射される光の、前記発光素子の側面の上端部を通り光軸と平行に前記光拡散板へ延びる基準線に対する角度をθ（θ１≦θ≦θ２）としたとき、前記２つの出射面が対向する方向に略垂直であり、かつ前記発光素子の前記光軸に略垂直な方向において、少なくとも下記式（１）を満たす第１領域の全部に配置されており、
Ｈ／ｔａｎ（１８０−θ２）≦Ｌ≦Ｈ／ｔａｎ（１８０−θ１）    式（１）
（式（１）において、θ１は１２０°であり、θ２は１５０°である）
前記光吸収部の、波長４５０ｎｍの光の反射率をＲ４５０、波長５５０ｎｍの光の反射率をＲ５５０、波長６００ｎｍの光の反射率をＲ６００としたとき、Ｒ４５０、Ｒ５５０およびＲ６００は、それぞれ５０％以下であり、かつ
前記光吸収部は、下記式（２−１）〜（２−３）を全て満たす、
面光源装置。
０．５≦ｒ１＜１、ｒ１＝Ｒ５５０／Ｒ４５０    式（２−１）
０．５≦ｒ２＜１、ｒ２＝Ｒ６００／Ｒ４５０    式（２−２）
０．８５≦ｒ３≦１．１５、ｒ３＝Ｒ５５０／Ｒ６００    式（２−３）
【請求項２】
前記光吸収部は、前記２つの出射面が対向する方向と略平行な方向において、前記式（１）を満たす第２領域の少なくとも一部には配置されていない、
請求項１に記載の面光源装置。
【請求項３】
前記光吸収部は、前記２つの出射面が対向する方向と略平行な方向において、前記式（１）を満たす第２領域の少なくとも一部にさらに配置されている、
請求項１に記載の面光源装置。
【請求項４】
前記光吸収部は、前記第２領域のうち前記発光素子に近い側の一部に配置されており、かつ前記発光素子から遠い側の一部には配置されていない、
請求項３に記載の面光源装置。
【請求項５】
Ｒ４５０は５％以下である、
請求項１〜４のいずれか一項に記載の面光源装置。
【請求項６】
前記発光装置は、複数配置されており、
前記複数の発光装置は、前記２つの出射面が対向する方向および前記発光素子の光軸に略垂直な方向に沿って並べられている、
請求項１〜５のいずれか一項に記載の面光源装置。
【請求項７】
請求項１〜６のいずれか一項に記載の面光源装置と、
前記面光源装置から出射された光が照射される表示部材と、
を有する、表示装置。
【発明の詳細な説明】
【技術分野】
【０００１】
本発明は、面光源装置および表示装置に関する。
【背景技術】
【０００２】
液晶表示装置などの透過型画像表示装置では、バックライトとして直下型の面光源装置を使用することがある。近年、光源として複数の発光素子を有する、直下型の面光源装置が使用されるようになってきている。
【０００３】
たとえば、直下型の面光源装置は、基板、複数の発光素子、複数の光束制御部材（レンズ）および光拡散部材を有する。発光素子は、例えば白色発光ダイオードなどの発光ダイオード（ＬＥＤ）である。複数の発光素子は、基板上に、マトリクス状に配置（例えば複数の発光素子を含む列が複数列配置）されている。各発光素子の上には、各発光素子から出射された光を基板の面方向に拡げる光束制御部材が配置されている。光束制御部材から出射された光は、光拡散部材により拡散され、被照射部材（例えば液晶パネル）を面状に照らす。
【０００４】
図１ＡおよびＢは、特許文献１の照明装置１２（面光源装置）の構成を示す図である。図１ＡおよびＢに示されるように、特許文献１の照明装置１２は、液晶パネル側が開口したシャーシ２２と、シャーシ２２内のＬＣＤ基板２５上に配置された、ＬＥＤ２４と、拡散レンズ２７と、吸収層３１と、シャーシ２２の開口部を塞ぐように配置された光学部材２３とを有する。拡散レンズ２７は、入射面２７ａと、出射面２７ｂおよびｅとを有する。吸収層３１は、ＬＣＤ基板２５の表面のうち、拡散レンズ２７の外径よりも大きい径を有する、反射シート２９の円形状のレンズ挿通孔２９ｄ内に配置されている（図１Ａ参照）。
【０００５】
特許文献１の照明装置１２では、ＬＥＤ２４から出射された光の多くは、拡散レンズ２７の入射面２７ａで入射し、出射面２７ｂおよびｅから出射される。このとき、ＬＥＤ２４から出射される光の一部は、拡散レンズ２７の裏面で反射されて、ＬＥＤ基板２５側に戻る。このように、拡散レンズ２７の裏面で反射されて、ＬＥＤ基板２５側に戻る光は、ＬＥＤ基板２５上に配置された吸収層３１によって吸収されるため、ＬＥＤ２４の近傍がその他の部分よりも明るくなりすぎないようにし、輝度ムラを低減することができるとされている。
【先行技術文献】
【特許文献】
【０００６】
【特許文献１】特開２０１３−１４３２１９号公報
【発明の概要】
【発明が解決しようとする課題】
【０００７】
近年では、大型の面光源装置を安価に製造する観点から、発光素子の数を少なくすること（例えば複数の発光素子を含む列の数を少なくすること）が求められている。すなわち、複数の発光素子を含む列の数を少なくしても、面光源装置の隅々まで光を到達させることが求められている。これに伴い、発光素子から出射される光を、図１ＡおよびＢに示されるような等方的に（全方向に）配光させる発光装置ではなく、発光素子から出射される光を、水平方向で互いに反対向きである２つの方向に反射させて、異方的に配光させる（楕円配光を示す）発光装置が使用されつつある。
【０００８】
また、発光素子としては、発光素子の上面からだけでなく、側面からも光を出射するものがある。そのような発光素子では、蛍光体の存在分布の偏りなどに起因して、発光素子の側面から出射される光は、発光素子の上面から出射される光よりも黄色味が強いことがある。
【０００９】
そのような発光素子を、異方的に配光させる（楕円配光を示す）発光装置に用いると、当該発光装置を有する面光源装置では、発光素子の側面から出射された黄色味を帯びた光が、発光素子近傍の基板上で反射されて、発光装置の直上近傍の光拡散板に到達し、黄色味の強い光となりやすいという問題があった。それにより、面光源装置において色ムラを生じやすく、面内色度分布の均一性が低下しやすいという問題があった。
【００１０】
本発明は上記事情を鑑みてなされたものであり、発光素子の側面からの出射される光の黄色味が強い場合であっても、それによる色ムラを低減することができる面光源装置および表示装置を提供することを目的とする。
【課題を解決するための手段】
【００１１】
本発明に係る面光源装置は、底板と、前記底板と対向して配置された開口部とを有する筐体と、前記底板上に配置され、少なくとも上面および側面の上端部から光を出射する発光素子と、前記発光素子から出射された光の配光を制御する光束制御部材とを有する発光装置と、前記底板上の、前記光束制御部材の下に配置された光吸収部と、前記開口部を塞ぐように配置され、光を拡散させつつ透過させる光拡散板と、を有し、前記光束制御部材は、前記発光素子から出射された光を入射する入射面と、前記入射面を挟んで前記発光素子と対向する位置に配置され、前記入射面から入射した光の一部を、前記発光素子の光軸と略垂直であり、かつ互いに反対向きである２つの方向にそれぞれ反射させる２つの反射面と、前記２つの反射面を挟んで互いに対向して配置され、前記２つの反射面で反射された光をそれぞれ外部に出射させる２つの出射面と、を有し、前記光吸収部は、前記発光素子の側面の上端部の前記底板の表面からの高さをＨ、平面視したときの前記発光素子の側面の下端部からの距離をＬ、前記発光素子の側面の上端部から出射される光の、前記発光素子の側面の上端部を通り光軸と平行に前記光拡散板へ延びる基準線に対する角度をθ（θ１≦θ≦θ２）としたとき、前記２つの出射面が対向する方向に略垂直であり、かつ前記発光素子の前記光軸に略垂直な方向において、少なくとも下記式（１）を満たす第１領域の全部に配置されており、
Ｈ／ｔａｎ（１８０−θ２）≦Ｌ≦Ｈ／ｔａｎ（１８０−θ１）    式（１）
（式（１）において、θ１は１２０°であり、θ２は１５０°である）
前記光吸収部の、波長４５０ｎｍの光の反射率をＲ４５０、波長５５０ｎｍの光の反射率をＲ５５０、波長６００ｎｍの光の反射率をＲ６００としたとき、Ｒ４５０、Ｒ５５０およびＲ６００は、それぞれ５０％以下であり、かつ前記光吸収部は、下記式（２−１）〜（２−３）を全て満たす。
０．５≦ｒ１＜１、ｒ１＝Ｒ５５０／Ｒ４５０    式（２−１）
０．５≦ｒ２＜１、ｒ２＝Ｒ６００／Ｒ４５０    式（２−２）
０．８５≦ｒ３≦１．１５、ｒ３＝Ｒ５５０／Ｒ６００    式（２−３）
【００１２】
本発明に係る表示装置は、本発明に係る面光源装置と、前記面光源装置から出射された光が照射される表示部材と、を有する。
【発明の効果】
【００１３】
本発明によれば、発光素子の側面からの出射される光の黄色味が強い場合であっても、それによる色ムラを低減することができる面光源装置および表示装置を提供することができる。
【図面の簡単な説明】
【００１４】
【図１】図１ＡおよびＢは、従来の発光装置の構成を示す図である。
【図２】図２Ａ〜Ｃは、本実施の形態に係る面光源装置の構成を示す図である。
【図３】図３ＡおよびＢは、本実施の形態に係る面光源装置の構成を示す図である。
【図４】図４Ａ〜Ｅは、本実施の形態に係る光束制御部材の構成を示す図である。
【図５】図５は、本実施の形態に係る面光源装置の発光装置を裏側からみた模式図である。
【図６】図６ＡおよびＢは、本実施の形態における光吸収部の領域を示す説明図である。
【図７】図７ＡおよびＢは、作用を説明する図である。
【図８】図８ＡおよびＢは、変形例に係る面光源装置の発光装置を裏側からみた模式図である。
【図９】図９は、本実施の形態に係る面光源装置の光吸収部の形状および大きさを説明する図である。
【図１０】図１０Ａは、本実施の形態に係る面光源装置の光拡散板上における色度ｘ値の測定結果と、比較用の面光源装置の光拡散板上における色度ｘ値の測定結果とを示すグラフであり、図１０Ｂは、本実施の形態に係る面光源装置の光拡散板上における色度ｙ値の測定結果と、比較用の面光源装置の光拡散板上における色度ｙ値の測定結果とを示すグラフである。
【発明を実施するための形態】
【００１５】
以下、本発明の実施の形態について、図面を参照して詳細に説明する。
【００１６】
［面光源装置の構成］
図２Ａ〜Ｃおよび図３Ａ、Ｂは、本実施の形態に係る面光源装置１００の構成を示す図である。図２Ａは、面光源装置１００の平面図であり、図２Ｂは、側面図であり、図２Ｃは、正面図である。図３Ａは、図２Ａにおいて光拡散板１５０を外した平面図であり、図３Ｂは、図２ＡのＡ−Ａ線における部分拡大断面図である。なお、図３Ｂでは、発光装置１３０の大きさを大きく表示するとともに、一部の部材のハッチングを省略している。
【００１７】
図２Ａ〜Ｃおよび図３Ａ、Ｂに示されるように、面光源装置１００は、筐体１１０、基板１２０、複数の発光装置１３０、光吸収部１４０および光拡散板１５０を有する。また、図２Ｃに示されるように、面光源装置１００は、液晶パネルなどの表示部材（被照射部材）１６０と組み合わせることで、表示装置１００’としても使用できる。
【００１８】
筐体１１０は、その内部に基板１２０および複数の発光装置１３０を収容するための、少なくとも一部が開口した箱であり、底板１１１、およびそれと対向して配置された開口部を有する。具体的には、筐体１１０は、底板１１１の表面である底面１１１ａ、２つの第１傾斜面１１２、および２つの第２傾斜面１１３を有する。
【００１９】
底面１１１ａは、水平面でありうる。
【００２０】
２つの第１傾斜面１１２および２つの第２傾斜面１１３は、それぞれ底面１１１ａを挟むように配置され、かつ発光素子１３１から離れるにつれて光拡散板１５０に近づくように傾斜した面である。２つの第１傾斜面１１２および２つの第２傾斜面１１３は、発光装置１３０から略水平方向に出射される光を光拡散板１５０に向けて反射させて、発光装置１３０から出射される光を光拡散板１５０に集めやすくできる。すなわち、第１傾斜面１１２および第２傾斜面１１３は、それぞれ反射面として機能しうる。第１傾斜面１１２および第２傾斜面１１３は、それぞれ平面であってもよいし、曲面であってもよい。本実施の形態では、第１傾斜面１１２および第２傾斜面１１３は、いずれも平面である。
【００２１】
第１傾斜面１１２の底面１１１ａに対する傾斜角は、例えば６〜９°であり、第２傾斜面１１３の底面１１１ａに対する傾斜角は、例えば４０〜５０°である。なお、第１傾斜面１１２（または第２傾斜面１１３）の底面１１１ａに対する傾斜角とは、第１傾斜面１１２（または第２傾斜面１１３）と底面１１１ａとのなす角度のうち小さいほうの角度をいう。また、底面１１１ａの一部が傾斜している場合、底面１１１ａに対する傾斜角は、底面１１１ａの水平部に対する傾斜角を意味する。また、第１傾斜面１１２（または第２傾斜面１１３）が曲面である場合、第１傾斜面１１２（または第２傾斜面１１３）の底面１１１ａに対する傾斜角とは、第１仮想断面において、底面１１１ａと、第１傾斜面１１２（または第２傾斜面１１３）の仮想断面における曲線の接線とのなす角度のうち小さいほうの角度を意味する。
【００２２】
筐体１１０をこのような形状とすることで、面光源装置１００の見かけの厚みを薄くすることもできる。
【００２３】
筐体１１０の底面１１１ａと対向する側（本実施の形態では、底面１１１ａ、２つの第１傾斜面１１２および２つの第２傾斜面１１３と対向する側）には、開口部が設けられている。筐体１１０の開口部の大きさは、光拡散板１５０に形成される発光領域の大きさに相当し、例えば４００ｍｍ×７００ｍｍ（３２インチ）である。この開口部は、光拡散板１５０により塞がれる。底面１１１ａの表面から光拡散板１５０までの高さ（空間厚さ）は、特に限定されないが、１０〜４０ｍｍ程度である。そして、筐体１１０は、例えば、ポリメタクリル酸メチル（ＰＭＭＡ）やポリカーボネート（ＰＣ）などの樹脂や、ステンレス鋼やアルミニウムなどの金属などから構成される。
【００２４】
基板１２０は、筐体１００の底板１１１（底面１１１ａ）上に配置されている。基板１２０は、複数の発光装置１３０を筐体１１０内に所定の間隔で配置するための平板である。基板１２０の表面は、発光装置１３０から到達した光を光拡散板１５０に向けて反射させる。すなわち、基板１２０の表面は、反射面としても機能しうる。
【００２５】
複数の発光装置１３０は、基板１２０上に、後述する光束制御部材１３２の２つの出射面１７３が対向する方向（Ｘ軸方向）に略垂直で、かつ発光素子１３１の光軸ＬＡ（Ｚ軸方向）に略垂直な方向（Ｙ軸方向）に沿って、一列に配置されている。基板１２０上に配置される発光装置１３０の数は、特に限定されない。基板１２０上に配置される発光装置１３０の数は、筐体１１０の開口部により規定される発光領域（発光面）の大きさに基づいて適宜設定される。
【００２６】
複数の発光装置１３０は、それぞれ発光素子１３１、および光束制御部材１３２を有する。複数の発光装置１３０は、発光素子１３１の光軸（後述する発光素子１３１の光軸ＬＡ）が、基板１２０の表面に対する法線に沿うようにそれぞれ配置され、かつ発光素子１３１から出射される光を２つの第１傾斜面１１２に向けて出射するようにそれぞれ配置されている。
【００２７】
発光素子１３１は、基板１２０上に配置されている。発光素子１３１は、面光源装置１００（および発光装置１３０）の光源であり、上面および側面の上端部から光を出射する。発光素子１３１は、例えば発光ダイオード（ＬＥＤ）である。発光素子１３１の発光中心付近から出射される光の色は、適宜設定できる。発光素子１３１の発光中心付近から出射される光の色は、白色であってもよいし、青色であってもよい。本実施の形態では、発光素子１３１の発光中心付近から出射される光の色は、白色である。また、発光素子１３１から出射された光を、光束制御部材１３２の入射面１７１に効率よく入射させる観点から、発光素子１３１の発光面の高さは、光束制御部材１３２の裏面１７６と同じかそれよりも高いことが好ましい。
【００２８】
光束制御部材１３２は、発光素子１３１から出射された光の配光を制御する。光束制御部材１３２は、その中心軸ＣＡが発光素子１３１の光軸ＬＡに一致するように、発光素子１３１の上に配置されている（図３Ｂ参照）。「発光素子１３１の光軸ＬＡ」とは、発光素子１３１からの立体的な出射光束の中心の光線を意味する。「光束制御部材１３２の中心軸ＣＡ」とは、例えば２回対称の対称軸を意味する。また、光束制御部材１３２は、発光素子１３１から出射される光を、後述する２つの出射面１７３から２つの第１傾射面１１２に向かって出射するように（後述する２つの出射面１７３が、２つの第１傾射面１１２とそれぞれ対向するように）配置される。
【００２９】
以下、各発光装置１３０について、発光素子１３１の発光中心を原点として、発光素子１３１の光軸ＬＡに平行な軸をＺ軸とし、Ｚ軸と直交し、かつ発光素子１３１の発光中心を含む仮想平面において、複数の発光装置１３０が並ぶ方向に平行な軸をＹ軸とし、前記仮想平面において、Ｙ軸と直交する軸をＸ軸とする。また、発光装置１３０を、光軸ＬＡとＸ軸とを含む第１仮想平面（ＸＺ平面）で切断した断面を第１仮想断面とし、光軸ＬＡとＹ軸とを含む第２仮想平面（ＹＺ平面）で切断した断面を第２仮想断面とし、Ｘ軸とＹ軸とを含む第３仮想平面（ＸＹ平面）で切断した断面を第３仮想断面とする。本実施の形態において、光束制御部材１３２は、第１仮想平面（ＸＺ平面）および第２仮想平面（ＹＺ平面）に対してそれぞれ面対称である。また、本実施の形態では、光束制御部材１３２は、光学面（後述する入射面１７１、反射面１７２および出射面１７３）が、Ｘ軸と平行な軸を回転軸とした略回転対称の物体の一部である。
【００３０】
光束制御部材１３２の材料は、所望の波長の光を通過させ得るものであれば特に限定されない。たとえば、光束制御部材１３２の材料は、ポリメタクリル酸メチル（ＰＭＭＡ）やポリカーボネート（ＰＣ）、エポキシ樹脂（ＥＰ）などの光透過性樹脂、またはガラスである。光束制御部材１３２の構成については、別途詳細に説明する。
【００３１】
２つの光吸収部１４０は、光束制御部材１３２と基板１２０との間に配置されている（図３Ｂおよび６Ａ参照）。光吸収部１４０は、発光素子１３１の側面の上端部から出射され、光束制御部材１３２の下の基板１２０の表面に到達する光の少なくとも一部を吸収する。それにより、発光素子１３１の側面の上端部から出射され、光束制御部材１３２の下の基板１２０上で反射される光を少なくすることができるため、発光装置１３０の直上近傍の光拡散板１５０から出射される光の黄色味が強くなるのを抑制することができる。光吸収部１４０の構成については、別途詳細に説明する。
【００３２】
光拡散板１５０は、筐体１１０の開口部を塞ぐように配置されている。光拡散板１５０は、光透過性および光拡散性を有する板状の部材であり、光束制御部材１３２の出射面１７３からの出射光を拡散させつつ透過させる。光拡散板１５０は、例えば面光源装置１００の発光面となりうる。
【００３３】
光拡散板１５０の材料は、光束制御部材１３２の出射面１７３からの出射光を拡散させつつ透過させ得るものであれば適宜選択できる。光拡散板１５０の材料の例には、ポリメタクリル酸メチル（ＰＭＭＡ）、ポリカーボネート（ＰＣ）、ポリスチレン（ＰＳ）、スチレン・メチルメタクリレート共重合樹脂（ＭＳ）などの光透過性樹脂が含まれる。光拡散性を付与するため、光拡散板１５０は、その表面に微細な凹凸が形成されているか、または光拡散板１５０の内部にビーズなどの光拡散子が分散している。
【００３４】
本実施の形態に係る面光源装置１００では、各発光素子１３１から出射された光は、光束制御部材１３２により光拡散板１５０の広範囲を照らすように、特に第１傾斜面１１２へ向かう光（または発光素子１３１の光軸ＬＡに対して略垂直方向に、かつ互いに略反対向きである２つの方向（図３ＡにおけるＸ軸方向）に向かう光）に変えられて出射される。各光束制御部材１３２から出射された光は、さらに光拡散板１５０により拡散されて、外部に出射される。それにより、面光源装置１００の面全体に光を行き渡らせることができる。
【００３５】
（光束制御部材１３２の構成）
図４Ａ〜Ｅは、光束制御部材１３２の構成を示す図である。図４Ａは、光束制御部材１３２の平面図であり、図４Ｂは、正面図であり、図４Ｃは、底面図であり、図４Ｄは、側面図であり、図４Ｅは、図４Ａに示されるＡ−Ａ線の断面図である。なお、以下の説明では、基板１２０側（発光素子１３１側）を「裏側」、光拡散板１５０側を「表側」と称する。
【００３６】
光束制御部材１３２は、発光素子１３１から出射された光の配光を制御する。図４Ａ〜Ｅに示されるように、光束制御部材１３２は、入射面１７１、２つの反射面１７２、２つの出射面１７３、２つの鍔部１７４および４つの脚部１７５を有する。
【００３７】
入射面１７１は、発光素子１３１から出射された光を入射させる。入射面１７１は、光軸ＬＡと交わるように、光束制御部材１３２の裏側（発光素子１３１側、裏面１７６）に配置されている。入射面１７１の形状は、上記の機能を発揮できれば、特に限定されない。入射面１７１の形状は、平面であってもよいし、裏面１７６に開口した凹部１７７の内面であってもよい。本実施の形態では、入射面１７１は、裏面１７６に開口した凹部１７７の内面である。
【００３８】
凹部１７７の形状も、特に制限されない。本実施の形態では、凹部１７７は、内天面１７７ａ（第１入射面）と、それを挟んでＸ軸方向において対向した内側面１７７ｂ（第２入射面）とを有する。内天面１７７ａ（第１入射面）および内側面１７７ｂ（第２入射面）の数は、特に限定されず、それぞれ１つであってもよいし、２つ以上であってもよい。本実施の形態では、内天面１７７ａおよび内側面１７７ｂの数は、それぞれ２つである。
【００３９】
内天面１７７ａ（第１入射面）および内側面１７７ｂ（第２入射面）は、それぞれ平面であってもよいし、曲面であってもよい。本実施の形態では、内天面１７７ａは、入射した光を反射面１７２に到達させやすくする観点などから、第１仮想断面において裏側に凸となるような曲面であり、内側面１７７ｂは、平面である。凹部１７７の内面（入射面１７１）は、他の面をさらに有していてもよい。
【００４０】
２つの反射面１７２は、入射面１７１を挟んで発光素子１３１と対向する位置（表側）に配置されている。また、２つの反射面１７２は、少なくとも内天面１７７ａで入射した光の少なくとも一部を、発光素子１３１の光軸ＬＡと略垂直であり、かつ互いに略反対向きである２つの方向（いずれもＸ軸に沿う方向）に反射させる。２つの反射面１７２は、第１仮想断面において、光軸ＬＡから離れるにつれ、Ｘ軸から離れるようにそれぞれ形成されている。具体的には、２つの反射面１７２は、発光素子１３１の光軸ＬＡを含む断面（第１仮想断面）において、発光素子１３１の光軸ＬＡから端部（出射面１７３）に向かうにつれて、接線の傾きが徐々に小さくなるように（Ｘ軸に沿うように）それぞれ形成されている。
【００４１】
２つの出射面１７３は、２つの反射面１７２を挟んで（Ｘ軸方向に）対向して配置されている。２つの出射面１７３は、内天面１７７ａで入射し、反射面１７２で反射した光と、内側面１７７ｂで入射し、直接到達した光とを、それぞれ外部に（筐体１１０の第１傾斜面１１２に向かって）出射させる。
【００４２】
出射面１７３は、平面であってもよいし、曲面であってもよい。本実施の形態では、出射面１７３は、第１仮想断面において、光軸ＬＡと略平行な面（または第２仮想断面と平行な平面）である。「光軸ＬＡと略平行」とは、第１仮想断面において、光軸ＬＡと出射面１７３とのなす角度のうち小さいほうの角度が３°以下であることを意味する。なお、出射面１７３が曲面である場合には、光軸ＬＡと出射面１７３とのなす角度のうち小さいほうの角度は、第１仮想断面において、光軸ＬＡと、出射面１７３の第１仮想断面における曲線の接線とのなす角度のうち小さいほうの角度を意味する。
【００４３】
２つの鍔部１７４は、光軸ＬＡ近傍の２つの反射面１７２の間において、光軸ＬＡに対してＹ軸方向に突出するように配置されている。鍔部１７４は、光束制御部材１３２の取り扱いおよび位置合わせを容易にさせる。なお、鍔部１７４の形状は、鍔部１７４に入射した光を制御して出射できるような形状にしてもよい。
【００４４】
４つの脚部１７５は、裏面１７６から突出している略円柱状の部材である。脚部１７５は、発光素子１３１に対して適切な位置に光束制御部材１３２を支持する（図３Ｂ参照）。脚部１７５を、基板１２０に形成した穴部に嵌合させて位置決めに用いてもよい。また、脚部１７５は、光学的に悪影響が及ばないように考慮された上で、光束制御部材１３２を基板１２０に安定して固定できればよく、脚部１７５の位置、形状および数は、特に制限されない。本実施の形態では、脚部１７５は、裏面１７６において、入射面１７１の周囲に合計４つ配置されている。
【００４５】
なお、面と面とが接するエッジ部分は、金型作製上、成形上、または光学特性上、製品に僅かなＲ形状が付与されていてもよい。特に、発光素子１３１の光軸ＬＡと交わる線分で示される箇所は、光学特性上、完全なエッジ（Ｒ０）の場合、発光装置１３０の直上が暗くなるため、明るさを補うために、曲率半径Ｒが０．０５〜０．０７ｍｍ程度のＲ形状を設けることが好ましい。
【００４６】
［光吸収部１４０の構成］
図５は、本実施の形態に係る面光源装置１００の発光装置１３０を裏側（基板１２０側）からみたときの模式図である。図６ＡおよびＢは、図３Ｂの発光素子１３１の周辺の部分拡大断面図である。
【００４７】
２つの光吸収部１４０は、基板１２０上において、少なくとも光束制御部材１３２の２つの出射面１７３が対向する方向に対して略垂直な方向（Ｙ軸方向）に、発光素子１３１を挟んで配置されている。本実施の形態では、２つの光吸収部１４０は、発光素子１３１を挟んで、光束制御部材１３２の２つの出射面１７３が対向する方向に対して略垂直な方向（Ｙ軸方向）に配置され、かつ光束制御部材１３２の２つの出射面１７３が対向する方向に対して略平行な方向（Ｘ軸方向）の少なくとも一部には配置されていない。
【００４８】
すなわち、発光素子１３１の側面の上端部から出射される光のうち、光束制御部材１３２の２つの出射面１７３が対向する方向に対して略平行な方向（Ｘ軸方向）に出射される光は、基板１２０上で反射されても、光束制御部材１３２で十分に拡散されて出射されやすい。そのため、発光装置１３０の直上付近から出射される光の黄色味は強くはなりにくい。一方、発光素子１３１の側面の上端部から出射される光のうち、光束制御部材１３２の２つの出射面１７３が対向する方向に対して略垂直な方向（Ｙ軸方向）に出射される光は、基板１２０上で反射されると、光束制御部材１３２で十分に拡散されることなく外部に漏れやすい。それにより、発光装置１３０の直上付近の光拡散板１５０から出射される光の黄色味が強くなりやすい。本実施の形態では、光吸収部１４０が、基板１２０上に、発光素子１３１を挟んで少なくともＹ軸方向に配置されている。それにより、発光素子１３１の側面の上端部から出射された後、基板１２０上で反射された光が光束制御部材１３２で拡散されずに外部に漏れる光を少なくすることができる。それにより、発光装置１３０の直上付近から出射される光の黄色味が強くなるのを抑制することができる。
【００４９】
具体的には、発光素子１３１の側面の上端部の基板１２０の表面からの高さをＨ、平面視したときの発光素子１３１の側面の下端部からの距離をＬ、発光素子１３１の側面の上端部から出射される光の、発光素子１３１の側面の上端部を通り、発光素子１３１の光軸ＬＡと平行に光拡散板１５０へ延びる基準線に対する角度をθ（θ１≦θ≦θ２）としたとき、光吸収部１４０は、Ｙ軸方向において、下記式（１）を満たす基板１２０上の第１領域１２０ａの全部に配置されている（図６Ａ参照）。すなわち、光吸収部１４０は、第１領域１２０ａを含む領域に配置されている。
Ｈ／ｔａｎ（１８０−θ２）≦Ｌ≦Ｈ／ｔａｎ（１８０−θ１）    式（１）
【００５０】
なお、本実施の形態のように、発光素子１３１が基板１２０上に配置されている場合、本発明における「（発光素子の側面の上端部の）底板の表面からの高さＨ」は、「（発光素子の側面の上端部の）基板１２０の表面からの高さ」を意味する。また、基板１２０（または底面１１１ａ）の表面が、発光素子１３１の光軸ＬＡに対して垂直である場合、本発明における「（発光素子の側面の上端部から出射される光の）発光素子１３１の光軸ＬＡと平行に光拡散板１５０へ延びる基準線に対する角度θ」は、「（発光素子の側面の上端部から出射される光の）基板１２０（または底面１１１ａ）の法線に対する角度θ」を意味する。さらに、本発明における「（平面視したときの）発光素子の側面の下端部からの距離Ｌ」は、「底面１１１ａに沿った方向における、発光素子１３１の側面の下端部からの距離」を意味する。
【００５１】
発光素子１３１の側面の上端部の基板１２０の表面からの高さＨは、発光素子１３１の種類にもよるが、例えば０．２〜２ｍｍでありうる。発光素子１３１の側面の上端部から出射される光の基板１２０の法線に対する角度θは、基板１２０の法線に対する極角を示す（図６Ａ参照）。具体的には、発光素子１３１の側面の上端部から、基板１２０の法線方向に沿って光拡散板１５０へ向かう方向を０°としたときの、発光素子１３１の側面の上端部から出射される光の角度をいう。θ１は、１２０°であることが好ましく、θ２は、１５０°であることが好ましい。
【００５２】
すなわち、式（１）を満たす第１領域１２０ａは、発光素子１３１の側面の上端部から基板１２０の表面の法線に対してθ１以上θ２以下の角度（極角）で出射される光が基板１２０の表面に到達する領域を示す。光吸収部１４０を、そのような領域に配置することで、発光素子１３１の側面の上端部から出射され、基板１２０上で反射される光を少なくすることができる。それにより、発光装置１３０の直上近傍の光拡散板１５０から出射される光の黄色味が強くなるのを抑制することができる。
【００５３】
また、光吸収部１４０は、発光素子１３１の側面の上端部から出射され、基板１２０上に到達する光をより多く吸収して、黄色味の強い光をより生じにくくする観点から、θ５＜θ３＜θ１≦θ≦θ２＜θ４＜θ６としたとき、光吸収部１４０は、少なくともＹ軸方向において、前述の第１領域１２０ａに加えて、下記式（３）で表される第３領域１２０ｃと下記式（４）で表される第４領域１２０ｄの少なくとも一方の全部にもさらに配置されていることが好ましい（図６Ｂ参照）。
Ｈ／ｔａｎ（１８０−θ１）＜Ｌ≦Ｈ／ｔａｎ（１８０−θ３）    式（３）
（式（３）において、θ３は１００°である）
Ｈ／ｔａｎ（１８０−θ４）≦Ｌ＜Ｈ／ｔａｎ（１８０−θ２）    式（４）
（式（４）において、θ４は１６５°である）
【００５４】
さらに、光吸収部１４０は、少なくともＹ軸方向において、前述の第１領域１２０ａ、第３領域１２０ｃおよび第４領域１２０ｄに加えて、下記式（５）で表される第５領域１２０ｅと下記式（６）で表される第６領域１２０ｆの少なくとも一方の全部にもさらに配置されていることがより好ましい（図６Ｂ参照）。
Ｈ／ｔａｎ（１８０−θ３）＜Ｌ≦Ｈ／ｔａｎ（１８０−θ５）    式（５）
（式（５）において、θ５は９５°である）
Ｈ／ｔａｎ（１８０−θ６）≦Ｌ＜Ｈ／ｔａｎ（１８０−θ４）    式（６）
（式（６）において、θ６は１７５°である）
【００５５】
発光素子１３１の側面の上端部から出射され、基板１２０に到達する光は、基板１２０に到達する位置が発光素子１３１に近いものほど強い。そのため、発光素子１３１の側面の上端部から出射され、基板１２０に到達する強い光を吸収しやすくし、黄色味の強い光をより生じにくくする観点では、光吸収部１４０は、第１領域１２０ａ、および（それよりも発光素子１３１に近い）第４領域１２０ｄを含む領域に配置されていることが好ましく、第１領域１２０ａおよび第４領域１２０ｄに加えて、（それよりもさらに発光素子１３１に近い）第６領域１２０ｆをさらに含む領域に配置されていることがより好ましい。
【００５６】
光吸収部１４０を平面視したとき、光吸収部１４０の外縁は、光束制御部材１３２の外縁よりも内側にあることが好ましい。
【００５７】
光吸収部１４０は、波長４５０ｎｍの光の反射率をＲ４５０、波長５５０ｎｍの光の反射率をＲ５５０、波長６００ｎｍの光の反射率をＲ６００としたとき、光吸収部１４０は、下記式（２−１）〜（２−３）を全て満たす。
０．５≦ｒ１＜１、ｒ１＝Ｒ５５０／Ｒ４５０    式（２−１）
０．５≦ｒ２＜１、ｒ２＝Ｒ６００／Ｒ４５０    式（２−２）
０．８５≦ｒ３≦１．１５、ｒ３＝Ｒ５５０／Ｒ６００    式（２−３）
【００５８】
式（２−１）〜（２−３）に示されるように、長波長側（例えば黄色域）の反射率を、短波長側の反射率（例えば青色域）よりも低くする。すなわち、光吸収部１４０の、反射率Ｒ４５０に対するＲ５５０の比率（ｒ１）、Ｒ４５０に対するＲ６0０の比率（ｒ２）、およびＲ６００に対するＲ５５０の比率（ｒ３）を、それぞれ適度にバランスさせることで、光吸収部１４０は、発光素子１３１の側面の上端部から出射され、基板１２０に到達する光のうち特に長波長側の光を吸収することができる。
【００５９】
具体的には、ｒ１およびｒ２が１を超えると、発光素子１３１の側面の上端部から出射され、基板１２０に到達する光のうち長波長側の光を十分には吸収できず、黄色味がかった反射光を生じることがある。一方、ｒ１およびｒ２が小さすぎると、光吸収部１４０は、上記基板１２０に到達する光のうち短波長側の光を十分には吸収できず、青味がかった反射光を生じることがある。したがって、発光素子１３１の側面の上端部から出射され、基板１２０で反射される光による面光源装置１００の色ムラを低減する観点では、ｒ１およびｒ２は、０．６≦ｒ１、ｒ２＜０．９を満たすことが好ましく、０．７≦ｒ１、ｒ２＜０．８を満たすことがより好ましい。
また、ｒ３が大きすぎると、上記基板１２０に到達する光に起因する反射光に緑色味が出やすく、ｒ３が小さすぎると、上記基板１２０に到達する光に起因する反射光に赤色味が出やすくなり、いずれも色ムラを生じるおそれがあることから、ｒ３は、０．９≦ｒ３≦１．１を満たすことが好ましく、０．９５≦ｒ３≦１．０５を満たすことがより好ましい。
【００６０】
また、光吸収部１４０の反射率Ｒ４５０、Ｒ５５０およびＲ６００は、発光素子１３１の側面の上端部から出射される光の吸収効率をより高める観点では、低いことが好ましく、具体的には、５０％以下であり、好ましくは４０％以下であり、より好ましくは３０％以下である。それにより、発光素子１３１の側面から出射された光が基板１２０上で反射されることにより、発光装置１３０の直上付近の光拡散板１５０から出射される光の黄色味が強くなるのを抑制することができる。
【００６１】
反射率Ｒ４５０、Ｒ５５０およびＲ６００は、ＪＩＳ ８７２２ （２００９）に準拠して測定することができる。具体的には、分光測光器を用いて、入射角４５°で、波長４５０ｎｍ、５５０ｎｍまたは６００ｎｍにおける光の反射率を測定する。測定は、波長４００〜７００ｎｍの範囲で行う。
【００６２】
光吸収部１４０は、発光素子１３１の側面の上端部から出射され、基板１２０上に到達する光を吸収しやすくする観点から、Ｌａｂ表色系におけるＬ値（明度）は、発光素子１３１の側面の上端部から出射される光の吸収効率をより高める観点では、低いことが好ましく、具体的には、４０以下であることが好ましい。Ｌ値（明度）は、ＪＩＳ ８７８１−４（２０１３）（ＣＩＥ １９７６Ｌ*ａ*ｂ*色空間）に準拠し、分光測光器を用いて測定することができる。
【００６３】
光吸収部１４０の反射率Ｒ４５０、Ｒ５５０およびＲ６００やＬ値は、光吸収部１４０の色相などによって調整することができる。前述の式式（２−１）〜（２−３）やＬ値を満たしやすくする観点では、光吸収部１４０の色相は、黒色であることが好ましい。
【００６４】
光吸収部１４０は、基板１２０の表面に、塗布または転写などにより形成された着色層（好ましくは黒色層）でありうる。
【００６５】
［作用］
本実施の形態に係る面光源装置１００の作用について、比較用の面光源装置と対比しながら説明する。図７Ａは、比較用の面光源装置１０の作用を説明する図であり、図７Ｂは、本実施の形態に係る面光源装置１００の作用を説明する図である。比較用の面光源装置１０は、基板１２０上に光吸収部１４０を有しない以外は、本実施の形態に係る面光源装置１００と同様に構成されている。
【００６６】
すなわち、比較用の面光源装置１０および本実施の形態に係る面光源装置１００では、発光素子１３１から出射される光は、入射面１７１で入射する（図３Ｂおよび４Ｅ参照）。入射面１７１で入射した光の一部（例えば内天面１７７ａで入射した光）は、２つの反射面１７２で反射されて、発光素子１３１の光軸ＬＡと略垂直であり、かつ互いに略反対向きである２つの方向（第１傾斜面１１２に向かう方向）に進み、２つの出射面１７３に到達する。一方、入射面１７１で入射した光の他の一部（例えば内側面１７７ｂで入射した光）は、直接、２つの出射面１７３に到達する。そして、２つの出射面１７３に到達したこれらの光は、２つの出射面１７３から２つの第１傾斜面１１２に向かってそれぞれ出射される。
【００６７】
ここで、発光素子１３１から出射される光には、発光素子１３１の上面から出射される光だけでなく、発光素子１３１の側面の上端部から出射される光も含まれる。
比較用の面光源装置１０は、基板１２０上に光吸収部を有しない（図７Ａ参照）。したがって、発光素子１３１の側面の上端部から出射される光のうち、Ｙ軸方向に出射される光の一部は、直接、基板１２０上で反射された後、光束制御部材１３２に入射し、十分に拡散されることなく、そのまま光束制御部材１３２の外部に漏れやすい（図７Ａの実線白抜き矢印）。また、当該Ｙ軸方向に出射される光の他の一部は、光束制御部材１３２に入射しても、反射面１７２に向かわずに光束制御部材１３２の裏面から漏れ出て、光束制御部材１３２の下の基板１２０上で反射されることもある。
このように、発光素子１３１の側面の上端部から出射され、直接または光束制御部材１３２を介して基板１２０上に到達する光が、基板１２０上で反射されて、光束制御部材１３２の内部で拡散されずに外部に漏れ出る光によって、発光装置１３０の直上付近の光拡散板１５０から出射される光の黄色味が強くなりやすく、面光源装置１０における色ムラを生じやすい。
【００６８】
これに対して本実施の形態に係る面光源装置１００は、光束制御部材１３２の２つの出射面１７３が対向する方向と略垂直な方向（Ｙ軸方向）において、基板１２０上に２つの光吸収部１４０を有する（図７Ｂ参照）。それにより、発光素子１３１の側面の上端部から出射される光のうち、前述のようにＹ軸方向に出射され、基板１２０上に到達する光の多くは、光吸収部１４０で吸収される。それにより、発光素子１３１の側面の上端部からＹ軸方向に出射された後、基板１２０上で反射された光が、光束制御部材１３２で拡散されずに外部に漏れ出るのを抑制することができる（図７Ｂの点線白抜き矢印）。それにより、発光装置１３０の直上付近の光拡散板１５０から出射される光の黄色味が強くなるのを抑制することができ、面光源装置１００における色ムラを抑制することができる。
【００６９】
［変形例］
なお、本実施の形態では、光吸収部１４０が、光束制御部材１３２の２つの出射面１７３が対向する方向と略垂直な方向（Ｙ軸方向）のみに配置される例を示したが、これに限定されず、光束制御部材１３２の２つの出射面１７３が対向する方向と略平行な方向（Ｘ軸方向）にもさらに配置されてもよい。
【００７０】
図８ＡおよびＢは、変形例に係る面光源装置の発光装置を裏側からみた模式図である。図８ＡおよびＢに示されるように、光吸収部２４０および３４０は、光束制御部材１３２の２つの出射面１７３が対向する方向に対して略平行な方向（Ｘ軸方向）において、前述の式（１）を満たす第２領域の少なくとも一部にもさらに配置されてもよい。
【００７１】
光吸収部２４０および３４０は、光束制御部材１３２の２つの出射面１７３が対向する方向に対して略平行な方向（Ｘ軸方向）において、前述の式（１）を満たす第２領域の少なくとも一部だけでなく、式（３）を満たす第３領域１２０ｃと式（４）を満たす第４領域１２０ｄの少なくとも一方（好ましくは式（４）を満たす第４領域１２０ｄ）の少なくとも一部にさらに配置されてもよいし、前述の式（５）を満たす第５領域１２０ｅと式（６）を満たす第６領域１２０ｆの少なくとも一方（好ましくは式（６）を満たす第６領域１２０ｆ）の少なくとも一部にもさらに配置されてもよい。
【００７２】
なお、図８Ａでは、光吸収部２４０は、第２領域のうち発光素子１３１に近い側の一部のみに配置されており、かつ発光素子１３１から遠い側の一部には配置されていない。発光素子１３１に近い側の一部とは、Ｘ軸方向において、発光素子１３１と光束制御部材１３２の入射面１７１（内側面１７７ｂ）との間の距離の半分の地点よりも発光素子１３１に近い領域を意味する。発光素子１３１から遠い側の一部とは、発光素子１３１と光束制御部材１３２の入射面１７１（内側面１７７ｂ）との間の距離の半分の地点よりも発光素子１３１から遠い領域を意味する。あるいは、光吸収部２４０を平面視したとき、光吸収部２４０の発光素子１３１の側面からのＸ軸方向の最大幅Ｗ２は、発光素子１３１の側面からのＹ軸方向の最大幅Ｗ１よりも短いことが好ましい。それにより、発光素子１３１の側面の上端部から出射される光のうち、Ｘ軸方向（２つの出射面１７３が対向する方向）に出射された光が、基板１２０上の光吸収部２４０で吸収されすぎないため、光束制御部材１３２の内部で拡散される光が減少して面光源装置の輝度が低下するのを抑制できる。
【００７３】
また、本実施の形態では、光吸収部１４０の平面視形状が矩形状である例を示したが、これに限定されず、式（１）を満たす領域を含む形状であればよい。例えば、光吸収部１４０の平面視形状は、発光素子１３１の四隅から放射状に広がるような形状であってもよい。
【００７４】
また、本実施の形態では、発光装置１３０が基板１２０上に配置される例を示したが、これに限定されず、底板１１１上に直接配置されてもよい。また、発光素子１３１が基板１２０上に配置され、光束制御部材１３２が底板１１１上に配置されてもよい。
【００７５】
また、本実施の形態では、筐体１１０の第１傾斜面１１２および第２傾斜面１１３が反射面として機能する例を示したが、これに限定されず、第１傾斜面１１２および第２傾斜面１１３の表面に反射シートをさらに配置し、その表面を反射面として機能させてもよい。
【００７６】
［実験］
光吸収部の形状が異なる本実施の形態に係る面光源装置Ａ−１〜Ａ−３の、光拡散板１５０上における色度（ｘ、ｙ値）を、それぞれ測定した。色度（ｘ、ｙ値）の測定は、１つの発光装置１３０のみを有する面光源装置１００を用いて行った。
また、比較のため、光吸収部を有しない以外は面光源装置Ａ−１〜Ａ−３と同様である面光源装置Ｒの光拡散板上における色度（ｘ、ｙ値）も測定した。測定条件は、以下のように設定した。
【００７７】
（光吸収部）
図９は、本実施の形態に係る面光源装置Ａ−１〜Ａ−３の光吸収部の形状および大きさを説明する図である。面光源装置Ａ−１〜Ａ−３の光吸収部の形状および大きさは、図９および以下のように設定した。
Ａ−１：第１領域のみ（第１領域のθ＝１２０〜１８０°、図９のＬｘ＝０ｍｍ）
Ａ−２：第１領域および第２領域（第１領域のθ＝１２０〜１８０°、図９のＬｘ＝２．５ｍｍ）
Ａ−３：第１領域および第２領域（第１領域のθ＝１２０〜１８０°、図９のＬｘ＝３．５ｍｍ）
なお、面光源装置のＡ−１〜Ａ−３の光吸収部の反射率（Ｒ４５０、Ｒ５５０およびＲ６００）を測定したところ、Ｒ４５０＝２０．４％、Ｒ５５０＝１９．９％、Ｒ６００＝１９．９％（ｒ１＝０．９７５、ｒ２＝０．９７５、ｒ３＝１．０）であった。
【００７８】
（共通パラメータ）
・光束制御部材１３２の外径：Ｘ軸方向の長さ  １８．０ｍｍ
Ｙ軸方向の長さ  １４．３ｍｍ
・発光素子１３１の高さ：０．６０ｍｍ
・発光素子１３１の大きさ：１．４ｍｍ×１．４ｍｍ
・基板１２０と光拡散板１５０との間隔：２９ｍｍ
【００７９】
図１０Ａは、本実施の形態に係る面光源装置Ａ−１〜Ａ−３の、光拡散板１５０上における色度ｘ値の測定結果と、比較用の面光源装置Ｒの、光拡散板１５０上における色度ｘ値の測定結果とを示すグラフである。図１０Ａの横軸は、光拡散板１５０における、発光素子１３１の光軸ＬＡからのＹ軸方向の位置（ｍｍ）を示し、縦軸は、光拡散板１５０における色度ｘ値を示している。
図１０Ｂは、本実施の形態に係る面光源装置Ａ−１〜Ａ−３の、光拡散板１５０上における色度ｙ値の測定結果と、比較用の面光源装置Ｒの、光拡散板１５０上における色度ｙ値の測定結果とを示すグラフである。図１０Ｂの横軸は、光拡散板１５０における、発光素子１３１の光軸ＬＡからのＹ軸方向の位置（ｍｍ）を示し、縦軸は、光拡散板１５０における色度ｙ値を示している。
【００８０】
また、図１０ＡおよびＢの測定結果を、表１にまとめた。なお、表１において、
Δｘ（またはΔｙ）は、前述のＸＹ座標において、Ｘ＝２５ｍｍ、Ｙ＝２５ｍｍの地点における、本実施の形態に係る面光源装置Ａ−１〜Ａ−３の光拡散板１５０上における色度ｘ値（またはｙ値）の、比較用の面光源装置Ｒの光拡散板１５０上における色度ｘ値（またはｙ値）との差分を示す。
ａｖｅ（ｘ）（またはａｖｅ（ｙ））は、前述のＸＹ座標において、Ｘ＝０ｍｍ、Ｙ＝−５０ｍｍ〜５０ｍｍの範囲における、面光源装置の光拡散板１５０上における色度ｘ値（またはｙ値）の平均値を示す。
Δａｖｅ（ｘ）（またはΔａｖｅ（ｙ））は、上記範囲における本実施の形態に係る面光源装置Ａ−１〜Ａ−３の色度ｘ値（またはｙ値）の平均値の、上記範囲における比較用の面光源装置Ｒの色度ｘ値（またはｙ値）の平均値との差分を示す。
【００８１】
【表１】
2020135965.tif 000003
【００８２】
図１０ＡおよびＢ、ならびに表１に示されるように、Ｘ＝０ｍｍ、Ｙ＝−５０ｍｍ〜５０ｍｍの範囲全体において、本実施の形態に係る面光源装置Ａ−１〜Ａ−３の光拡散板１５０上における色度ｘ値およびｙ値は、比較用の面光源装置Ｒの光拡散板１５０上における色度ｘ値およびｙ値よりも低いことがわかる。これらのことから、本実施の形態に係る面光源装置Ａ−１〜Ａ−３の光拡散板１５０に到達する光は、比較用の面光源装置Ｒの光拡散板１５０に到達する光よりも黄色味が少ないことがわかる。
【産業上の利用可能性】
【００８３】
本発明に係る光束制御部材を有する面光源装置は、例えば、液晶表示装置のバックライトや看板、一般照明などに適用できる。
【符号の説明】
【００８４】
１００  面光源装置
１００’  表示装置
１１０  筐体
１１１  底板
１１１ａ  底面
１１２  第１傾斜面
１１３  第２傾斜面
１２０  基板
１３０  発光装置
１３１  発光素子
１３２  光束制御部材
１４０  光吸収部
１５０  光拡散板
１６０  表示部材
１７１  入射面
１７２  反射面
１７３  出射面
１７４  鍔部
１７５  脚部
１７６  裏面
１７７  凹部
１７７ａ  内天面
１７７ｂ  内側面
【図１】
2020135965.tif 000004
【図２】
2020135965.tif 000005
【図３】
2020135965.tif 000006
【図４】
2020135965.tif 000007
【図５】
2020135965.tif 000008
【図６】
2020135965.tif 000009
【図７】
2020135965.tif 000010
【図８】
2020135965.tif 000011
【図９】
2020135965.tif 000012
【図１０】
2020135965.tif 000013